(57)【要約】【課題】伸縮性を有する紐状芯材の周囲に、装飾用の糸を巻き付けてなる巻編装飾物を作製するための巻編器具にあって、多様な巻編装飾物を簡便に作製し得る新しい巻編器具を提供する。【解決手段】巻編器具１を、板状の器具本体２をスタンド３で支持する構成とし、該器具本体２の外周部を、略円弧状の芯材保持部８と、該芯材保持部８の両端の間に形成される切欠状の作業部７とで構成する。かかる巻編器具１では、器具本体２の外周部に無端の紐状芯材Ｑを伸張状態で外嵌させることで、該紐状芯材Ｑを芯材保持部８に当接させるとともに、作業部７に張り渡して保持することができ、張り渡された紐状芯材Ｑに糸Ｒを直接巻き付けるとともに、紐状芯材Ｑを器具本体２の外周方向にずらしていくことで、紐状芯材Ｑの全周にわたって糸Ｒをきつく巻き付けることができる。【選択図】図８
2012162837.tif 000002
【特許請求の範囲】
【請求項１】
伸縮性を有する無端の紐状芯材の周囲に、装飾用の糸を巻き付けてなる巻編装飾物を作製するための巻編器具であって、
板状の器具本体と、該器具本体を支持するスタンドとを備えてなり、
器具本体の外周部は、略円弧状の芯材保持部と、該芯材保持部の両端の間に形成される切欠状の作業部とで構成され、
器具本体の外周部に紐状芯材を伸張状態で外嵌させることで、該紐状芯材を芯材保持部に当接させるとともに、作業部に張り渡して保持し得るよう構成されたことを特徴とする巻編器具。
【請求項２】
芯材保持部には、紐状芯材を内嵌させ得る外周方向に沿った案内保持溝が形成されていることを特徴とする請求項１に記載の巻編器具。
【請求項３】
スタンドは、水平板状のベース部と、該ベース部の上に立設されて器具本体をベース部の上方に保持するアーム部とを備え、
ベース部の上面には、器具本体の下方位置に凹部が形成されていることを特徴とする請求項１又は請求項２に記載の巻編器具。
【発明の詳細な説明】
【技術分野】
【０００１】
本発明は、伸縮性を有する紐状芯材に装飾用の糸を巻き付けてなる巻編装飾物を作製するための巻編器具に関する。
【背景技術】
【０００２】
従来、手芸分野においては、伸縮性を有する紐状芯材に装飾用の糸を巻き付けて巻編装飾物を作製することが行われている。かかる巻編装飾物は、リング状にしてリストバンドやヘアバンドなどに用いられることが多い。
【０００３】
特許文献１には、かかる巻編装飾物を作製するための従来の巻編器具が開示されている。かかる巻編器具は直管状の巻棒のみからなり、該巻棒を用いて巻編装飾物を以下のように作製する。すなわち、まず、紐状芯材を巻棒の中空部に挿通し、紐状芯材を巻棒の一端に係止する。次に、装飾用の糸の端部を巻棒に結びつけ、糸を把持した手を巻棒の周りで回転させることによって糸を巻棒にらせん状に巻き付けていく。そして、巻き付けた糸を巻棒に沿ってずらしつつ糸を巻棒に巻き続け、糸を所要長さ巻き付けた段階で、紐状芯材を糸とともに巻棒から抜き取れば巻編装飾物を得ることができる。
【先行技術文献】
【特許文献】
【０００４】
【特許文献１】実用新案登録第３１３９５１４号公報
【発明の概要】
【発明が解決しようとする課題】
【０００５】
上記特許文献１記載の巻編器具では、紐状芯材に糸を直接巻き付けるのではなく、紐状芯材を挿通した巻棒の周りに糸を巻き付けるため、糸を紐状芯材にきつく巻き付けることができない。巻編装飾物には、紐状芯材の周りに糸をらせん状に巻回するだけの単純なものから、複数本の糸を紐状芯材の周りで絡めたり、糸にビーズを組み付けたりする複雑なものまであるが、紐状芯材への巻付けが緩いと糸が不安定になるため、かかる巻編器具では、複雑な巻編装飾物を作製することができない。また、上記巻編器具では、紐状芯材が有端でないと巻棒に挿通できないため、リング状に製造されたゴム紐等を芯材として用いることができず、芯材として使える紐が制限されている。このように、上記特許文献１に記載の巻編器具では、複雑な巻編装飾物は作製できず、また、無端の紐を芯材として用いることもできず、作製可能な巻編装飾物のバリエーションが限られている。
【０００６】
本発明は、かかる現状に鑑みて為されたものであり、多様な巻編装飾物を好適に作製し得る新しい巻編器具の提供を目的とする。
【課題を解決するための手段】
【０００７】
本発明は、伸縮性を有する無端の紐状芯材の周囲に、装飾用の糸を巻き付けてなる巻編装飾物を作製するための巻編器具であって、板状の器具本体と、該器具本体を支持するスタンドとを備えてなり、器具本体の外周部は、略円弧状の芯材保持部と、該芯材保持部の両端の間に形成される切欠状の作業部とで構成され、器具本体の外周部に紐状芯材を伸張状態で外嵌させることで、該紐状芯材を芯材保持部に当接させるとともに、作業部に張り渡して保持し得るよう構成されたことを特徴とする巻編器具である。
【０００８】
かかる構成にあっては、紐状芯材を器具本体に外嵌保持すれば、その一部が作業部に張り渡されて露出することとなるから、当該作業部にて紐状芯材の周りに糸を直接巻き付けることができる。また、器具本体に外嵌した紐状芯材は、器具本体の外周方向に沿って動かすことで、作業部に別の部分を露出させることができる。すなわち、かかる構成にあっては、器具本体に紐状芯材を外嵌保持し、作業部において紐状芯材の周りに装飾用の糸を巻き付けるとともに、紐状芯材を器具本体に外嵌したまま外周方向にずらして糸を巻き付けていない部分を作業部に露出させていくことで、紐状芯材の全周にわたって装飾用の糸をきつく巻き付けることができる。
【０００９】
本発明にあって、芯材保持部には、紐状芯材を内嵌させ得る外周方向に沿った案内保持溝が形成されている構成が提案される。かかる構成にあっては、紐状芯材は、案内保持溝に内嵌することで器具本体の厚み方向に保持されることとなり、これにより、紐状芯材を器具本体の厚み方向に移動させることなく、外周方向にスムーズに移動させ易くなる。
【００１０】
また、本発明にあって、スタンドは、水平板状のベース部と、該ベース部の上に立設されて器具本体をベース部の上方に保持するアーム部とを備え、ベース部の上面には、器具本体の下方位置に凹部が形成されている構成が提案される。かかる構成にあっては、器具本体の下方位置に凹部を形成することで、器具本体や未完成の巻編装飾物をベース部と干渉させることなく器具本体を低い位置で支持することができ、巻編装飾物作製時の安定性を向上させることが可能となる。
【発明の効果】
【００１１】
以上に述べたように、本発明の巻編器具では、紐状芯材に糸を直接巻き付けることで、糸をきつく巻くことができるから、複数本の糸を紐状芯材の周りで絡めたり、糸にビーズを通したりするような比較的複雑な巻編装飾物であっても好適に作製可能となる。また、かかる巻編器具では、器具本体に紐状芯材を保持しておくことで、紐状芯材を手で保持せずに両手で糸を巻き付けることができるから、巻編器具なしで作製するのに比べて巻編装飾物を簡単に作製可能となる。また、紐状芯材を器具本体に保持することで、作製時に糸や紐状芯材に不必要な撚りが生じ難くなるから、巻編装飾物の出来栄えを向上させることもできる。さらには、本発明の巻編器具は、リング状のゴム紐等を紐状芯材として採用でき、有端の紐でもリング状に結ぶことで紐状芯材として利用できるから、有端・無端の区別なく多様な紐を芯材として用いることができるという利点がある。
【図面の簡単な説明】
【００１２】
【図１】実施例の巻編器具１の正面側の斜視図である。
【図２】実施例の巻編器具１の背面側の斜視図である。
【図３】実施例の巻編器具１の分解斜視図である。
【図４】実施例の巻編器具１の正面図である。
【図５】実施例の巻編器具１の側面図である。
【図６】巻編器具１の使用例を示す説明図である。
【図７】図６から続く巻編器具１の使用例を示す説明図である。
【図８】図７から続く巻編器具１の使用例を示す説明図である。
【発明を実施するための形態】
【００１３】
本発明の実施形態を、以下の実施例に従って説明する。
本実施例の巻編器具１は、図１，２に示すように、板状の器具本体２と、該器具本体２を支持するスタンド３とで構成される。巻編器具１は、図３に示すように３つの樹脂部材１ａ，１ｂ，１ｃを組み付けてなるものであるが、本発明に係る巻編器具は、かかる構成に限らず一体成形されたものでも構わない。
【００１４】
スタンド３は、図１，２に示すように、左右に長尺な肉厚矩形板状のベース部４と、該ベース部４の上面に立設される一対のアーム部５，５とを備えている。アーム部５の先端は、器具本体２の背面と連結している。かかるスタンド３によれば、ベース部４を水平面上に載置した状態で、器具本体２は、その板面を水平面と直交させるようにしてベース部４の上方に支持される。そして、背面側から支持された器具本体２の外周部には、正面側から紐状芯材を外嵌可能となる。また、ベース部４の上面には、器具本体２の下方位置に凹部６が形成されており、かかる凹部６によって、器具本体２の下方のスペースを狭めることなく、器具本体２を低い位置に支持し得るようになっている。
【００１５】
器具本体２は、図４，５に示すように、切り欠かれた円板状をなしており、その外周部は、円弧状部分を構成する芯材保持部８と、芯材保持部８の両端から切欠状に形成された作業部７とで構成される。この器具本体２の外周長は、器具本体２の外周部に紐状芯材Ｑを伸張状態で外嵌させ得るように、紐状芯材Ｑよりも長くなるよう設計されている。かかる構成にあっては、紐状芯材Ｑを器具本体２の外周部に外嵌すると、図６（ａ）に示すように、伸張した紐状芯材Ｑが芯材保持部８と当接するとともに、作業部７で張り渡されるように保持されることとなる。ここで、芯材保持部８には、図１，５に示すように、器具本体２の外周方向に沿った案内保持溝９が形成されている。この案内保持溝９は、円滑面によって構成され、また、その幅寸法は紐状芯材Ｑの径よりも少し大きめに設計されており、器具本体２の外周部に外嵌した紐状芯材Ｑをこの案内保持溝９に内嵌させることで、紐状芯材Ｑを器具本体２の厚み方向に保持しつつ、外周方向に円滑に移動させ得るようになっている。
【００１６】
以下に、本実施例の巻編器具１を使用して、ビーズ付の巻編装飾物を作製する場合の使用例を説明する。
【００１７】
巻編装飾物の作製に当たっては、まず、図６（ａ）に示すように、紐状芯材Ｑを伸張させて器具本体２の外周部に正面側から外嵌する。この時、紐状芯材Ｑは、その収縮力によって、芯材保持部８の案内保持溝９の内底面に密着し、作業部７に張り渡されることとなる。
【００１８】
次に、図６（ｂ）に示すように、紐状芯材Ｑの、作業部７に張り渡された部分に装飾用の糸Ｒを結び付ける。続いて、図７（ａ）に示すように、巻き付けた糸Ｒの両端を、紐状芯材Ｑの周りに反時計回り方向に巻き付けていく。また、この時、所々でビーズＳを糸Ｒに組み込みことで、紐状芯材Ｑの外側にビーズＳを組み付ける。
【００１９】
作業部７に張り渡された部分に糸Ｒを巻き付けたら、作業部７に張り渡された紐状芯材Ｑを摘んで、巻き付けた糸Ｒごと紐状芯材Ｑを時計回り方向に回転させ、図７（ｂ）に示すように、糸Ｒを巻き付けていない部分を作業部７に露出させる。そして、図７（ｃ）に示すように、新たに露出した部分に糸Ｒを巻き付けていき、糸Ｒを巻き付けるスペースがなくなったら、図８（ａ）に示すように、紐状芯材Ｑをさらに時計回り方向に移動させて、糸Ｒが巻かれていない部分を作業部７に露出させる。
【００２０】
以下同様にして、作業部７において紐状芯材Ｑに糸Ｒを巻き付けていき、糸Ｒを巻くスペースがなくなったら、紐状芯材Ｑを時計周りにずらしてスペースを確保していく。そして、かかる作業を繰り返して、図８（ｂ）に示すように、紐状芯材Ｑの全周に亘って糸Ｒを巻き付けたら、その時点で糸Ｒの端部を処理し、紐状芯材Ｑを器具本体２から取り外すと、図８（ｃ）に示すように、紐状芯材Ｑの全周に亘ってビーズＳ付きの糸Ｒが巻きつけられた巻編装飾物Ｐが得られる。
【００２１】
なお、かかる使用例で作製した巻編装飾物Ｐは、本実施例の巻編器具１で作製し得る巻編装飾物の一例に過ぎず、本実施例の巻編器具１は、材料や糸の巻き方などを適宜変更することで多様な巻編装飾物を作製可能である。例えば、紐状芯材には、リング状のゴム紐を好適に用いることができるが、かかる紐状芯材は、最初からリング状に成形されたものに限らず、有端の紐の両端を結んで無端状にしたものを用いることも可能である。また、装飾用の糸としては、着色された細糸から、毛糸や飾り糸などの嵩高なものまで広く採用できる。また、本発明に係る巻編装飾物には、ビーズは必須でなく、紐状芯材と糸のみによって作製することもできるし、ビーズ以外のものを組み込んで作製することも可能である。
【００２２】
このように、本実施例の巻編器具１では、紐状芯材Ｑを器具本体２に外嵌保持することで、紐状芯材Ｑの一部を張り渡すようにして非接触状態で保持することができるから、作業部７において、糸Ｒを紐状芯材Ｑに対して直接巻き付けることで、糸Ｒをきつく巻付け可能となる。そして、かかる巻編器具１では、紐状芯材Ｑを器具本体２に外嵌したまま外周方向にずらすことで、巻き付けた糸Ｒの形態を崩すことなく、糸Ｒを巻き付けていない部分を作業部７に露出させることができる。このため、かかる巻編器具１によれば、糸Ｒの巻付けと、紐状芯材Ｑの外周方向への移動を繰り返すことで、糸Ｒを紐状芯材Ｑの全周に亘ってきつく巻き付けることができ、これにより、図８（Ｃ）に示すような、複雑な巻編装飾物Ｐであっても問題なく作製可能となる。
【００２３】
特に、本実施例の巻編器具１では、芯材保持部８に形成された外周方向に沿った案内保持溝９に紐状芯材Ｑを内嵌させているため、紐状芯材Ｑを器具本体２の厚み方向にずらすことなく、円滑に外周方向に移動させることができる。
【００２４】
また、本実施例の巻編器具１によれば、器具本体２に紐状芯材Ｑを保持することで、紐状芯材Ｑに対して両手で糸Ｒを巻き付けることができるから、巻編器具１なしで作製するのに比べて巻編装飾物Ｐを簡単に作製可能となる。
【００２５】
また、本実施例の巻編器具１によれば、紐状芯材Ｑを器具本体２に保持することで、作製時に糸Ｒや紐状芯材Ｑに不必要な撚りが生じ難くなるから、出来栄えのよい巻編装飾物Ｐを得ることができる。特に、上述の使用例のように、ビーズＳを備えた巻編装飾物Ｐを作製する場合には、図８（ｂ）に示したように、紐状芯材Ｑを器具本体２に外嵌保持しておくことで、組み付けたビーズＳを紐状芯材Ｑの外側（装飾側）に揃えることができるから、本実施例の巻編器具１は、糸ＲにビーズＳを組み付ける巻編装飾物Ｐの作製に適している。
【００２６】
また、スタンド３のベース部４の上面には、器具本体２の下方位置に凹部６が形成されているため、図８（ｂ）に示すように、巻き付けた糸ＲやビーズＳをベース部４に干渉させることなく、器具本体２を低い位置に保持して重心を安定させることができるという利点がある。
【００２７】
なお、本発明の巻編器具は、上記実施例の形態に限らず本発明の要旨を逸脱しない範囲内において種々変更を加えることができる。例えば、上記実施例では、器具本体２の板面が完全に覆われているが、かかる構成に限らず、器具本体の板面を格子状などにしてもかまわない。また、実施例では、器具本体２が水平面と直交するように保持されているが、器具本体２の保持角度は適宜変更可能である。また、実施例では、器具本体２の斜め上方を切欠くように作業部７が形成されているが、器具本体２に対する作業部７の形成位置はかかる位置に限られず、適宜変更可能である。
【符号の説明】
【００２８】
１  巻編器具
２  器具本体
３  スタンド
４  ベース部
５  アーム部
６  凹部
７  作業部
８  芯材保持部
９  案内保持溝
Ｐ  巻編装飾物
Ｑ  紐状芯材
Ｒ  糸
Ｓ  ビーズ
【図１】
2012162837.tif 000003
【図２】
2012162837.tif 000004
【図３】
2012162837.tif 000005
【図４】
2012162837.tif 000006
【図５】
2012162837.tif 000007
【図６】
2012162837.tif 000008
【図７】
2012162837.tif 000009
【図８】
2012162837.tif 000010